(57)【要約】【課題】軽量化及び省スペース化を図ることができる密閉電池の製造方法を提供する。【解決手段】角型の電池缶７内に正負極板を捲回した捲回群６を収容した。捲回群６より上方の電池缶壁に、段付け支持具と段付けローラとで段付け部１５を形成した。段付け部１５は、断面が楔状で上側の一辺が電池缶壁と略直角をなしており、下側の斜辺と電池缶壁とが約１２０度をなしている。段付け部１５より上方の電池缶壁をかしめ前処理凹型とかしめ前処理凸型とで外側に湾曲させてかしめ前処理部１６を形成した。段付け部１５に電池蓋１０を支持させ、かしめ前処理部１６と電池蓋１０の周部とをかしめ封口してリチウムイオン電池２０を完成させた。電池缶７が歪むことなく段付け部１５が形成され余分な支持部材が不要となる。【選択図】図１
2006012702.tif 000002
【特許請求の範囲】
【請求項１】
電極群が収容された有底電池缶の開口部に電池蓋がかしめ固定され前記電池缶が封口された密閉電池の製造方法であって、
前記電池缶に前記電極群を収容後に、前記電極群より上方の電池缶壁の内側に当接具を当接させ前記電池缶壁の外側から圧接具を圧接して断面が楔状で該一辺が前記電池缶壁と略直角をなす突設部を形成し、
前記突設部の一辺に前記電池蓋を支持させて前記突設部より上方の前記電池缶壁と前記電池蓋の周部とをかしめ固定する、
ステップを含むことを特徴とする製造方法。
【請求項２】
前記楔状の突設部の斜辺と、前記突設部より下方の電池缶壁とがなす外角が鈍角であることを特徴とする請求項１に記載の製造方法。
【請求項３】
前記電池缶の周面が曲面と平面とで構成されていることを特徴とする請求項１に記載の製造方法。
【請求項４】
前記電池蓋をかしめ固定するステップの前に、更に、前記突設部より上方の前記電池缶壁の外側に凹型治具を当接させ内側から凸型治具を圧接して前記電池缶壁を外側方向に湾曲させるかしめ前処理を施すステップを含むことを特徴とする請求項１に記載の製造方法。
【発明の詳細な説明】
【技術分野】
【０００１】
本発明は密閉電池の製造方法に係り、特に、電極群が収容された有底電池缶の開口部に電池蓋がかしめ固定され電池缶が封口された密閉電池の製造方法に関する。
【背景技術】
【０００２】
従来、密閉電池は家電製品に汎用されており、最近では、特にリチウム二次電池が携帯用端末機器等に数多く用いられるに至っている。密閉電池の封口方法としては、電池容器が金属製の場合には、工程簡略化及び低コスト化のため、かしめ封口法が多く用いられており、その他にレーザ溶接法や電子ビーム溶接法等も用いられている。このような密閉電池の形状は、円筒型と角型とに大別される。円筒型電池ではかしめ封口法が主流であるが、電池缶の外径が大きくなると同じ厚さの電池缶では外力により変形し易くなるため、大型の円筒型電池ではレーザ溶接法も用いられている。これに対して、角型電池では、周面の平面が外力により変形し易く、角部や平面部のかしめ封口が難しいため、レーザ溶接法が主に用いられている。
【０００３】
ところが、レーザ溶接法では、溶接工程の煩雑さ、絶縁のための部品数の増加や溶接自体による高コスト化が問題となるため、角型電池でもかしめ封口法を用いることが検討されている。例えば、電池缶周面の対向する平面間に架橋板を溶接で固定し、この架橋板で電池缶壁を支持して電池缶壁に内側に突出する突出部を形成する技術が開示されている（特許文献１参照）。また、周部をＬ字状に折り曲げた電池蓋を用い、電池缶壁を内側に略直角まで湾曲させる第１工程と、その後９０度以上１８０度以下まで湾曲させてＬ字状の電池蓋と電池缶壁とをかしめ封口する第２工程とで密閉する技術が開示されている（例えば、特許文献２参照）。
【０００４】
【特許文献１】特開平８−１９５２０３号公報
【特許文献２】特開平８−１９５１８９号公報
【発明の開示】
【発明が解決しようとする課題】
【０００５】
しかしながら、上述した特許文献１の技術では、架橋板を溶接するため、部材数の増加による重量増加や溶接工程の煩雑さ等の問題がある。また、電池内部に架橋板を配置するための空間が必要となる上、架橋板が電池缶と溶接されているため、電池缶を正極又は負極の外部端子として使用する場合には、架橋板を電池内部の他極から絶縁するための空間が更に必要となり電池体積が大きくなる、という問題もある。更に、上述した特許文献２の技術では、周部をＬ字状に折り曲げた電池蓋に対しては密閉性を確保できるが、これ以外の電池蓋に対してはＬ字状の先端部のように電池缶壁を折り曲げるための支点となる部分がないため、密閉封口することができない、という問題がある。
【０００６】
上記事案に鑑み本発明は、軽量化及び省スペース化を図ることができる密閉電池の製造方法を提供することを課題とする。
【課題を解決するための手段】
【０００７】
上記課題を解決するために、本発明は、電極群が収容された有底電池缶の開口部に電池蓋がかしめ固定され前記電池缶が封口された密閉電池の製造方法であって、前記電池缶に前記電極群を収容後に、前記電極群より上方の電池缶壁の内側に当接具を当接させ前記電池缶壁の外側から圧接具を圧接して断面が楔状で該一辺が前記電池缶壁と略直角をなす突設部を形成し、前記突設部の一辺に前記電池蓋を支持させて前記突設部より上方の前記電池缶壁と前記電池蓋の周部とをかしめ固定する、ステップを含む。
【０００８】
本発明では、電池缶に電極群を収容後に、電極群より上方の電池缶壁の内側に当接具を当接させ外側から圧接具を圧接して突設部を形成するため、突設部の形成時に電池缶の歪みを防止することができ、形成された突設部は断面が楔状で該一辺が電池缶壁と略直角をなしており電池蓋を支持可能なため、電池缶内に電池蓋を支持するための部材の配置が不要となり軽量化を図ることができると共に、突設部より上方の電池缶壁と電池蓋の周部とをかしめ固定するので、省スペース化を図ることができる。
【０００９】
この場合において、楔状の突設部の斜辺と、突設部より下方の電池缶壁とがなす外角を鈍角とすれば、突設部の形成時に、鈍角を有する圧接具の圧接に伴い突設部より下方の電池缶壁が突設部の先端に向けて斜め方向に変形するので、突設部の薄肉化を抑制することができる。また、電池缶の周面が曲面と平面とで構成されていてもよい。更に、電池蓋をかしめ固定するステップの前に、突設部より上方の電池缶壁の外側に凹型治具を当接させ内側から凸型治具を圧接して電池缶壁を外側方向に湾曲させるかしめ前処理を施すステップを含むようにすれば、湾曲させた電池缶壁を湾曲させた形状のまま内側に曲げることで、電池蓋周部の形状に沿ってかしめ固定されるので、略均等なかしめ形状を得ることができ密閉性を向上させることができる。
【発明の効果】
【００１０】
本発明によれば、電池缶に電極群を収容後に、電極群より上方の電池缶壁の内側に当接具を当接させ外側から圧接具を圧接して突設部を形成するため、突設部の形成時に電池缶の歪みを防止することができ、形成された突設部は断面が楔状で該一辺が電池缶壁と略直角をなしており電池蓋を支持可能なため、電池缶内に電池蓋を支持するための部材の配置が不要となり軽量化を図ることができると共に、突設部より上方の電池缶壁と電池蓋の周部とをかしめ固定するので、省スペース化を図ることができる、という効果を得ることができる。
【発明を実施するための最良の形態】
【００１１】
以下、図面を参照して、本発明の製造方法を角型リチウムイオン電池に適用した実施の形態について説明する。
【００１２】
＜正負極板作製＞
正極板の作製では、正極活物質のリチウムマンガン複酸化物粉末と、導電材の鱗片状黒鉛と、結着剤のポリフッ化ビニリデン（以下、ＰＶＤＦと略記する。）と、を重量比８５：１０：５で混合し、これに分散溶媒のＮ−メチルピロリドン（以下、ＮＭＰと略記する。）を添加、混練したスラリを、厚さ２０μｍのアルミニウム箔の両面に塗布した。このとき、アルミニウム箔の長寸方向一側の側縁に未塗布部を残した。その後、乾燥、プレス、裁断することで厚さ１７０μｍの正極板を得た。側縁に残した未塗布部を櫛状に切り欠くことで正極リード片を形成した。
【００１３】
一方、負極板の作製では、負極活物質の非晶質炭素粉末９０質量部に対し、結着剤のＰＶＤＦを１０質量部添加し、これに分散溶媒のＮＭＰを添加、混練したスラリを、厚さ１０μｍの電解銅箔の両面に塗布した。このとき、電解銅箔の長寸方向一側の側縁に未塗布部を残した。その後、乾燥、プレス、裁断することで厚さ１３０μｍの負極板を得た。側縁に残した未塗布部に正極板と同様にして負極リード片を形成した。
【００１４】
＜電池組立＞
図１に示すように、作製した正負極を、これら両極板が直接接触しないように、厚さ４０μｍのポリエチレン製セパレータと共に捲回して捲回群６を作製した。捲回中心には、ポリプロピレン製の中空扁平状の軸芯１を用いた。このとき、正極リード片２と負極リード片３とが、それぞれ捲回群６の互いに反対側に位置するようにした。軸芯１の上端部に扁平状の正極集電リング４の下端部を固定した。正極リード片２を変形させ、その全てを正極集電リング４の周囲から一体に張り出した鍔部周面付近に集合、接触させた後、正極リード片２と鍔部周面とを超音波溶接して正極リード片２を鍔部周面に接続した。正極集電リング４の上部に、予め複数枚のアルミニウム製のリボンを重ね合わせて構成した正極リード９の一端を溶接した。一方、扁平状の負極集電リング５と負極リード片３との接続操作も、正極集電リング４と正極リード片２との接続操作と同様に実施した。その後、正極集電リング４の鍔部周面全周に絶縁被覆を施し、捲回群６をニッケルメッキが施されたスチール製の有底角型の電池缶７内に挿入した。電池缶７には、長さ１０８ｍｍ、幅３４ｍｍ、高さ１１７ｍｍの寸法で、周面の角部がＲ状に形成されたものを用いた。このため、電池缶７の周面は、曲面と平面とで構成されている。負極集電リング５には、予め電気的導通のための負極リード板８を溶接しておき、電池缶７に捲回群６を挿入後、電池缶７の底部と負極リード板８とを溶接した。
【００１５】
（段付け部形成）
図２に示すように、捲回群６より上方の電池缶７の缶壁（以下、単に、電池缶壁という。）に、段付け支持具２１と段付けローラ２２とを用いて、電池缶壁を内側に突出させた段付け部１５を以下のようにして形成した。すなわち、開口部を上方にして電池缶７の垂直方向を加圧した状態で、電池缶７の外部に配置された図示しない支柱に支持された段付け支持具２１を電池缶７の内側に当接させて、その位置で固定（位置決め）した。その後、段付けローラ２２を電池缶７の外側から徐々に押し込むことで、電池缶壁を内側に突出させた。使用した段付けローラ２２は、円柱状のローラ部を有しており、ローラ部の外周面には断面略く字状の圧接部が突設されている。この圧接部は、ローラ部の軸芯方向と直交する方向（図２の横方向）に対して、先端部より上側の一辺の勾配が約０度、下側の斜辺の勾配が約３０度に設定されている。このため、圧接部の斜辺と圧接部より下方のローラ部の外周面との外角は約１２０度の鈍角を形成している。段付け支持具２１は角型筒状の支持体を有しており、支持体の下端部外側には段付けローラ２２の圧接部の斜辺に対向するように楔状の突起部が形成されている。このため、段付け部１５は断面が楔状に形成されて上側の一辺が電池缶壁と略直角をなすと共に、下側の斜辺と電池缶壁とがなす段付け部１５の外角αが約１２０度（鈍角）に形成される。
【００１６】
（かしめ前処理）
図３に示すように、段付け部１５より上方の電池缶壁に、かしめ前処理凹型３１とかしめ前処理凸型３２とを用いてかしめ前処理を施し、かしめ前処理部１６を形成した。すなわち、電池缶７の外部に配置された図示しない支柱に支持されたかしめ前処理凹型２５を電池缶壁の外側に当接し、かしめ前処理凸型２６を電池缶７の内側から圧接することで電池缶壁を湾曲させた。使用したかしめ前処理凹型２５は角型筒状で下部の内周面に凹部が形成されており、かしめ前処理凸型２６は柱状の支持体の下端部にかしめ前処理凹型２５の凹部に対応する凸部が形成されている。このとき、電池缶壁の上端部がかしめ前処理を施す前より内側とならないようにした。このため、かしめ前処理部１６は、電池缶壁が外側に湾曲した形状に形成される。
【００１７】
図１に示すように、段付け部１５及びかしめ前処理部１６を形成した後、正極リード９の他端を、電池缶７を封口するための電池蓋１０の下面に溶接した。電池蓋１０は、蓋ケースと、蓋キャップと、内圧上昇により開裂する開裂弁とが積層されて蓋ケースの周部をかしめ固定することで組立てられている。捲回群６全体を浸潤可能な非水電解液を電池缶７内に注液し、その後、正極リード９を折りたたむようにして電池蓋１０をＥＰＤＭ樹脂製ガスケットを介して段付け部１５の上側に支持させた。かしめ前処理部１６の下部を支点として電池缶壁を内側に曲げて電池缶壁と電池蓋１０の周部とをかしめ封口することで電池缶７を密閉して容量１０．０Ａｈのリチウムイオン電池２０を完成させた。このため、かしめ前処理部１６は電池蓋１０の周部の形状に沿って上面内側に曲げられており、リチウムイオン電池２０のかしめ封口部は上側に湾曲した形状に形成されている。なお、非水電解液には、エチレンカーボネート（ＥＣ）とジメチルカーボネート（ＤＭＣ）とジエチルカーボネート（ＤＥＣ）とを体積比１：１：１の割合で混合した混合溶媒中へ６フッ化リン酸リチウム（ＬｉＰＦ６）を１モル／リットル溶解したものを用いた。
【００１８】
＜作用等＞
次に、本実施形態のリチウムイオン電池２０の作用等について説明する。
【００１９】
本実施形態のリチウムイオン電池２０では、電池缶７の内側に段付け支持具２１を当接し電池缶７の外側に段付けローラ２２を圧接することで段付け部１５が形成されている。このため、段付け支持具２１が電池缶７の内側に挿入され位置決めされることで、段付けローラ２２の圧接力による変位を起こすことなく、段付け部１５を形成することができる。また、段付け支持具２１を内側に当接するため、段付けローラ２２を圧接したときに電池缶７の周面の平面が凹状に変形して歪むことなく段付け部１５を形成することができ、かしめ封口するときに密閉性を確保可能とすることができる。更に、段付け部１５の形成後に段付け支持具２１を電池外へ取り出すことで、電池内部に余分な部品を残すことなく軽量化を図ることができると共に、段付け支持具２１を繰り返し使用することができるため、低コスト化を図ることができる。
【００２０】
また、本実施形態のリチウムイオン電池２０では、電池缶７の周面は、角部がＲ状に形成されており、曲面と平面とで構成されている。このため、段付けローラ２２を圧接して段付け部１５を形成するときに、角部でも略均等に段付け部１５を形成することができる。
【００２１】
更に、本実施形態のリチウムイオン電池２０では、段付け部１５の上側の一辺が電池缶壁と略直角をなしている。このため、かしめ固定時に上方からかかる力を段付け部１５の上側の一辺で支持することができる。また、本実施形態では、かしめ固定時に、段付け部１５に電池蓋１０を支持させる。このため、電池缶内に電池蓋１０を支持するための部材を溶接固定する複雑な工程が不要となるため、低コスト化を図ることができると共に、余分な部材が不要となる分軽量化を図ることができる。更に、本実施形態では、段付け部１５より上方の電池缶壁と電池蓋１０の周部とをかしめ固定するため、省スペース化を図ることができる。
【００２２】
また更に、本実施形態のリチウムイオン電池２０では、段付け部１５の上方の電池缶壁にかしめ前処理部１６が形成されている。湾曲したかしめ前処理部１６の下部を支点として内側に曲げることで電池缶壁と電池蓋１０の周部とがかしめ固定される。このため、かしめ前処理部１６が電池蓋１０の周部の形状に沿って曲げられるので、かしめ形状を略均等（良好）に形成することができ、密閉性の向上を図ることができる。また、かしめ前処理部１６の形成時に電池缶壁の上端部が湾曲させる前より内側とならないようにするため、電池蓋１０を電池缶７の内側に挿入するときに、かしめ前処理部１６の上部が妨げとなることを防止することができる。
【００２３】
更にまた、本実施形態のリチウムイオン電池２０では、段付け部１５の下側の斜辺と、段付け部１５より下方の電池缶壁とで鈍角の外角αが形成されている。このため、段付けローラ２２で電池缶壁を徐々に内側に突出させる際に、段付けローラ２２の先端部より下方の電池缶壁が段付けローラ２２の圧接部下側の勾配に沿って（押し込み量に合わせて）段付け部１５の先端方向にせり上がりながら変形するので、電池缶７の破断や極度な薄肉部を作ることなく段付け部１５を形成することができると共に、電池不良を低減して生産性を向上させることができる。
【００２４】
これに対して、従来のリチウムイオン電池では、電池周面の平面の外部応力に対する強度が曲面に比べ非常に低く、段付け部を形成するときに電池缶が段付けローラの圧接力で歪むため、段付け形状と異なる形状に変形する。また、段付け部の下側の辺と電池缶壁とが略直角をなすように段付けローラを圧接すると電池缶壁が薄肉化するため、電池缶が破断することもある。これらを回避するために、電池内に架橋板等を配置すると、電池全体の重量を増加させると共に、電池内に余分なスペースが必要となる。更に、架橋板等を電池缶内壁に溶接固定すると、絶縁部材等も電池内に配置することが必要となり電池体積が大きくなる。本実施形態のリチウムイオン電池２０は、これらの問題を解決することができるものである。
【００２５】
なお、本実施形態では、電池缶の周面が曲面と平面とで構成される角型のリチウムイオン電池２０を例示したが、本発明はこれに限定されるものではなく、例えば、円筒型の電池に適用してもよい。図４に示すように、円筒型リチウムイオン電池５０では、上述したリチウムイオン電池２０で用いた各部品を円筒型電池の作製に適した形状に変更することで、同様の工程で作製することができる。すなわち、中空円筒状の軸芯３１の周囲に正負極板を捲回した捲回群３６を円筒型の電池缶３７に収容する。捲回群３６より上方の電池缶壁に段付け部４５を、段付け部４５より上方にかしめ前処理部４６を形成した後、電池蓋４０とかしめ前処理部４６とをかしめ固定する。このようにすれば、外径８０ｍｍ、高さ９０ｍｍの寸法で、容量１０．０Ａｈのリチウムイオン電池５０を完成することができる。
【００２６】
角型、円筒型の形状にかかわらず電池が大型化すると、同じ厚さの電池缶壁でも外力に対する耐力が低下するため、段付け支持具を用いないで段付け部を形成することが難しくなり、また、かしめ封口部の面積も大きくなり密閉性が低下しやすくなる。本実施形態では、段付け支持具を用いて段付け部１５、４５を形成し、かしめ前処理を施すので、かしめ形状がほぼ均等に形成されてかしめ封口部が安定化されるため、密閉性の向上に効果的である。
【００２７】
また、本実施形態では、段付け部１５の下側の斜辺と、段付け部１５より下方の電池缶壁とで形成される外角αが約１２０度の例を示したが、本発明はこれに限定されるものではなく、外角αが鈍角であればよい。例えば、段付けローラ２２の圧接部の形状を変えることで外角αの角度を変更することができる。
【００２８】
更に、本実施形態では、正負極を軸芯の周囲に捲回する捲回式の電池を例示したが、本発明はこれに限定されるものではなく正負極板を積層した電池に適用してもよい。また、本実施形態では、リチウムイオン電池２０を例示したが、本発明はこれに限定されるものではなく、例えば、ニッケル水素電池、ニッケルカドミウム電池等のアルカリ電池や鉛蓄電池等に適用してもよい。
【００２９】
また更に、本実施形態では、ニッケルメッキが施されたスチール製の電池缶を例示したが、本発明はこれに限定されるものではなく、例えば、材質がアルミニウム合金やステンレス鋼の電池缶に適用してもよい。
【実施例】
【００３０】
次に、本実施形態に従い作製したリチウムイオン電池２０、５０の実施例について説明する。なお、比較のために作製した比較例の電池についても併記する。
【００３１】
（実施例１）
実施例１では、角型の電池缶７を用い、段付け部１５及びかしめ前処理部１６を形成し作製した（図１参照）。
【００３２】
（実施例２）
実施例２では、かしめ前処理部１６を形成しないこと以外は実施例１と同様にして作製した。
【００３３】
（実施例３）
実施例３では、円筒型の電池缶３７を用い、段付け部４５及びかしめ前処理部４６を形成し作製した（図４参照）。
【００３４】
（実施例４）
実施例４では、かしめ前処理部４６を形成しないこと以外は実施例３と同様にして作製した。
【００３５】
（比較例１）
比較例１では、段付け支持具２１を用いず段付けローラ２２のみで段付け部を形成し、かしめ前処理部１６を形成しないこと以外は実施例１と同様にした。
【００３６】
（比較例２）
比較例２では、段付け支持具２１を用いず段付けローラ２２のみで段付け部を形成し、かしめ前処理部４６を形成しないこと以外は実施例３と同様にした。
【００３７】
（試験・評価）
作製した実施例及び比較例の各電池について、次の試験を行った。まず、各電池を１００個作製するときに、電池缶の破断やかしめ形状の不良等の作製不良の電池数を調べた。また、１００個の作製電池を９０°Ｃの環境下で９５時間保存後、−４０°Ｃの環境下で５時間保存する保存試験を１０回繰り返した後の漏液発生の電池数を調べた。試験結果を表１に示す。
【００３８】
【表１】
2006012702.tif 000003
【００３９】
表１に示すように、段付け支持具２１を用いずに段付け部を形成しかしめ前処理部１６、４６を形成していない比較例１、比較例２の電池では、作製時の不良が多く、漏液発生も多くの電池で認められた。これに対して、段付け支持具２１を用いて段付け部１５、４５を形成し、かしめ前処理部１６、４６を形成した実施例１、実施例３の電池では、作製時の不良はなく、漏液発生も認められなかった。また、かしめ前処理部１６、４６を形成していない実施例２、実施例４の電池では、段付け部１５、４５より上方の電池缶壁と電池蓋１０、４０とをかしめ固定するときにかしめ形状に若干の歪みが生じ、一部の電池で漏液発生が認められた。
【００４０】
以上の結果から、電池缶７、３７の内側に段付け支持具２１を当接し電池缶７、３７の外側から段付けローラ２２を圧接することで、電池缶７、３７に歪みが生ずることなく段付け部１５、４５を形成することができ、外角αを鈍角とすることで、電池缶７、３７の破断や密閉不良を防止することができることが判った。また、比較例１、比較例２の電池の漏液発生状況から判断して、電池缶の周面が曲面と平面とで構成される電池に対して特に有効であることが判った。更に、段付け部１５、４５の上方にかしめ前処理部１６、４６を形成することで、かしめ封口時の不良を起こさず、かしめ形状を良好に形成することができ密閉性を向上できることが判明した。
【産業上の利用可能性】
【００４１】
本発明は、軽量化及び省スペース化を図ることができる密閉電池の製造方法を提供するものであり、製造、販売に寄与し、産業上利用することができる。
【図面の簡単な説明】
【００４２】
【図１】本発明が適用可能な実施形態の角型リチウムイオン電池の断面図である。
【図２】実施形態のリチウムイオン電池に段付け部を形成するときの電池缶に対する段付け支持具と段付けローラとの位置関係を示す部分断面図である。
【図３】実施形態のリチウムイオン電池にかしめ前処理部を形成するときの電池缶に対するかしめ前処理凹型とかしめ前処理凸型との位置関係を示す部分断面図である。
【図４】本発明が適用可能な実施例３の円筒型リチウムイオン電池の断面図である。
【符号の説明】
【００４３】
６  捲回群（電極群）
７  電池缶
１０  電池蓋
１５  段付け部（突設部）
１６  かしめ前処理部
２０  リチウムイオン電池（密閉電池）
２１  段付け支持具（当接具）
２２  段付けローラ（圧接具）
【図１】
2006012702.tif 000004
【図２】
2006012702.tif 000005
【図３】
2006012702.tif 000006
【図４】
2006012702.tif 000007